(57)【要約】【課題】１つのワイヤ保持部材で固定用と干渉防止用の両方を兼ね、しかも取付作業の容易化を図ることができるワイヤ保持部材を提供すること。【解決手段】ワイヤ保持部材７は、回転角センサ３の出力を外部に取り出すための出力ワイヤ４を保持する。ワイヤ保持部材７は、回転角センサ３に固定され出力ワイヤ４の元部４ａを回転角センサ３に固定する固定用クリップ部７１と、固定用クリップ部７１から一体に延設された延設部７２と、延設部７２に一体に形成され出力ワイヤ４とロータ１とが干渉しないよう出力ワイヤ４を保持する干渉防止用クリップ部７３とを有する。【選択図】図１
2005287161.tif 000002
【特許請求の範囲】
【請求項１】
回転角センサの出力を外部に取り出すための出力ワイヤを保持する、磁石式発電機のワイヤ保持部材において、
前記回転角センサに固定され前記出力ワイヤの元部を前記回転角センサに固定する固定用クリップ部と、該固定用クリップ部から一体に延設された延設部と、該延設部に一体に形成され前記出力ワイヤと前記ロータとが干渉しないよう前記出力ワイヤを保持する干渉防止用クリップ部とを有することを特徴とする磁石式発電機のワイヤ保持部材。
【発明の詳細な説明】
【技術分野】
【０００１】
本発明は、オートバイ（自動二輪車）などに搭載され前照灯などに電力を供給する磁石式発電機におけるワイヤ保持部材に関する。
【背景技術】
【０００２】
図３に、回転角センサを備える公知の磁石式発電機の構成を示す。
【０００３】
図３において、１は、図示しないエンジンのクランクシャフトに連結され、円筒状ヨーク１１の内周面に等間隔で複数の磁石１２が配置されたロータ、２は、積層コア２１に発電コイル２２が巻装されロータ１の回転に伴い発電コイル２２に電圧が誘起されるステータ、３は、ロータ１の円筒状ヨーク１１に接近して配置され、ロータ１の回転角度を検出するための回転角センサを表す。ロータ１の円筒状ヨーク１１の外周面には、円周方向の所定位置に突起部１１ａが形成されており、この突起部１１ａが回転角センサ３の位置を通過するとき回転角センサ３は検出信号を出力し、この検出信号によってロータ１の回転角度を検出することができる（例えば、特許文献１参照）。
【０００４】
回転角センサ３の出力（検出信号）は、出力ワイヤ４によって外部に取り出される。出力ワイヤ４の元部４ａは、回転角センサ３に固定用クリップ５によって固定される。固定用クリップ５は、通常、脚部５１が回転角センサ３に嵌合されることによって回転角センサ３に強固に固定される。また、出力ワイヤ４は、ロータ１と干渉しないようにするために干渉防止用クリップ６に保持されている。
【特許文献１】特開２００３−８８０６０公報
【発明の開示】
【発明が解決しようとする課題】
【０００５】
しかし、従来の磁石式発電機は、出力ワイヤ４を保持するためのワイヤ保持部材として、固定用クリップ５と干渉防止用クリップ６の２つのクリップを用いているため、部品点数が多くコスト高になるとともに、干渉防止用クリップ６を回転角センサ３に取り付けるための作業を必要とするという問題があった。
【０００６】
本発明は、上記のような従来の磁石式発電機のワイヤ保持部材の問題点を解決し、１つのワイヤ保持部材で固定用と干渉防止用の両方を兼ね、しかも取付作業の容易化を図ることができるワイヤ保持部材を提供することを目的とする。
【課題を解決するための手段】
【０００７】
本発明による磁石式発電機のワイヤ保持部材は、回転角センサの出力を外部に取り出すための出力ワイヤを保持する、磁石式発電機のワイヤ保持部材において、前記回転角センサに固定され前記出力ワイヤの元部を前記回転角センサに固定する固定用クリップ部と、該固定用クリップ部から一体に延設された延設部と、該延設部に一体に形成され前記出力ワイヤと前記ロータとが干渉しないよう前記出力ワイヤを保持する干渉防止用クリップ部とを有することを特徴とする。
【０００８】
本発明のワイヤ保持部材によると、固定用と干渉防止用の両方を兼ねるため、部品点数の減少及びコスト低減を図ることができるとともに、干渉防止用クリップ部を回転角センサに取り付けるための作業が不要になる。
【発明を実施するための最良の形態】
【０００９】
以下、本発明の実施形態を図面に基づいて説明する。
【００１０】
図１は、本発明の一実施形態に係るワイヤ保持部材を備える磁石式発電機の構成図を示す。
【００１１】
図１において、１は、図示しないエンジンのクランクシャフトに連結され、円筒状ヨーク１１の内周面に等間隔で複数の磁石１２が配置されたロータ、２は、積層コア２１に発電コイル２２が巻装されロータ１の回転に伴い発電コイル２２に電圧が誘起されるステータ、３は、ロータ１の円筒状ヨーク１１に接近して配置され、ロータ１の回転角度を検出するための回転角センサを表す。ロータ１の円筒状ヨーク１１の外周面には、円周方向の所定位置に突起部１１ａが形成されており、この突起部１１ａが回転角センサ３の位置を通過するとき回転角センサ３は検出信号を出力し、この検出信号によってロータ１の回転角度を検出することができる。回転角センサ３の出力（検出信号）は、出力ワイヤ４によって外部に取り出される。出力ワイヤ４は、ワイヤ保持部材７によって保持されている。
【００１２】
ワイヤ保持部材７は、固定用クリップ部７１と延設部７２と干渉防止用クリップ部７３とからなる。固定用クリップ部７１は、回転角センサ３に固定され出力ワイヤ４の元部４ａを回転角センサ３に固定する。固定用クリップ部７１は脚部７１ａを有し、脚部７１ａが回転角センサ３に嵌合されることによって回転角センサ３に固定される。延設部７２は、固定用クリップ部７１から一体に延設されている。干渉防止用クリップ部７３は、延設部７２に一体に形成され出力ワイヤ４とロータ１とが干渉しないよう出力ワイヤ４を保持する。干渉防止用クリップ部７３は、図２（Ａ）に示すような断面形状を有しており、内側空間７３ａに出力ワイヤ４を弾性変形により受け入れて保持する。干渉防止用クリップ部７３の断面形状は、図２（Ｂ）又は（Ｃ）に示すようなものであってもよい。なお、図２（Ｃ）図示の干渉防止用クリップ部７３は、基部７３ｂに蓋部材７３ｃを嵌合することによって出力ワイヤ４を保持する。
【００１３】
以上説明したように、本実施形態による磁石式発電機のワイヤ保持部材７は、回転角センサ３の出力を外部に取り出すための出力ワイヤ４を保持する、磁石式発電機のワイヤ保持部材７において、回転角センサ３に固定され出力ワイヤ４の元部４ａを回転角センサ３に固定する固定用クリップ部７１と、固定用クリップ部７１から一体に延設された延設部７２と、延設部７２に一体に形成され出力ワイヤ４とロータ１とが干渉しないよう出力ワイヤ４を保持する干渉防止用クリップ部７３とを有する。
【００１４】
本実施形態のワイヤ保持部材７によると、固定用と干渉防止用の両方を兼ねるため、部品点数の減少及びコスト低減を図ることができるとともに、干渉防止用クリップ部７３を回転角センサ３に取り付けるための作業が不要になる。
【図面の簡単な説明】
【００１５】
【図１】本発明の一実施形態に係るワイヤ保持部材を備える磁石式発電機の構成図である。
【図２】ワイヤ保持部材の干渉防止用クリップ部の断面図である。
【図３】従来のワイヤ保持部材を備える磁石式発電機の構成図である。
【符号の説明】
【００１６】
１    ロータ
３    回転角センサ
４    出力ワイヤ
４ａ    元部
７    ワイヤ保持部材
７１    固定用クリップ部
７２    延設部
７３    干渉防止用クリップ部
【図１】
2005287161.tif 000003
【図２】
2005287161.tif 000004
【図３】
2005287161.tif 000005